(57)【要約】【課題】従来の廃棄物埋設処理場では、雨水が穴の中の廃棄物に触れるため、その汚染された汚水を浄化して放流しているが、それでも自然環境を破壊しているとする社会的問題を抱えている。また、処分場建設のための多大な初期費用負担を余儀なくされている。【解決手段】埋設ごと埋設構造物を積立構成して廃棄物処理場を形成していき、然もその埋設途中に屋根を使用して埋設場に雨水の侵入を防止するようにした。【効果】なだらかな傾斜面に限らず、いびつな傾斜面を有する穴の地形に合わせて埋設に応じて低いところから高いところへと順次埋設処分場を形成でき、初期投資が抑制できる。然も強度に優れ、腐蝕することない透水性のため汚水の流出がなくなり、自然環境の破壊の虞がなくなった。【特許請求の範囲】
【請求項１】
なだらかな谷間の地盤を掘削して穴を設け、該穴底部へ長方体形状の耐久性・不透水性材料からなる埋設構造物を設けて第１廃棄物埋設場を形成し、次の埋設時に同形状同材料の埋設構造物を一体に積立して第２廃棄物埋設場を形成し、さらに次の埋設時に同じく同形状、同材料の埋設構造物を積立して第３廃棄物埋設場を形成して、地形に合わせて低いところから高いところへと埋設ごと順次一体に積立て形成することを特徴とする埋設ごと埋設構造物の積立式廃棄物処分場。
【請求項２】
地盤にいびつに掘削された穴の底部に壁及び床を有する連続した三角形状の耐久性・不透水性材料からなる埋設構造物を設けた廃棄物埋設場を埋設ごと順次地形に合わせて低いところから高いところへと一体に積立形成する請求項１に記載の埋設ごと埋設構造物の積立式廃棄物処分場。
【請求項３】
地盤にいびつに掘削された穴の底部に壁及び床を有する連続した六角形状の耐久性・不透水性材料からなる埋設構造物を設けた廃棄物埋設場を埋設ごと順次地形に合わせて低いところから高いところへと一体に積立形成する請求項１に記載の埋設ごと埋設構造物の積立式廃棄物処分場。
【請求項４】
地盤に掘削された穴の底部に形成された第１廃棄物埋設場へ廃棄物を埋設したのち屋根にて覆い雨水の侵入を防止し、次の廃棄物埋設必要時には屋根を外し、第２廃棄物埋設場を一体に積立形成し、該埋設場へ廃棄物を埋設して屋根にて覆い、さらに次の廃棄物埋設必要時には前記屋根を外し、第３廃棄物埋設場を一体に積立形成し、該埋設場へ廃棄物を埋設してその上へ屋根を覆着したのち土砂にて造成することを特徴とする廃棄物埋設方法に関するものである。
【発明の詳細な説明】
【０００１】
【発明の属する技術分野】
本発明は、埋設ごと埋設構造物の積立式廃棄物処分場及び廃棄物埋設方法に関し、詳しくは地盤に掘削された穴に廃棄物埋設場を地形に合わせて低いところから高いところへと埋設ごと順次一体に積立形成して、屋根の使用によって雨水の侵入を防止しながら埋設できるようにした埋設ごと埋設構造物の積立式廃棄物処分場及び廃棄物埋設方法に関するものである。
【０００２】
【従来の技術】
従来、焼却灰、不燃物、可燃物、産業廃材等の産業廃棄物及び家庭用廃棄物は、廃棄物埋設処分場に運搬され、そこで地盤を掘削して掘られた穴へ捨てられ埋設されている。
【０００３】
図１に示すように従来の一般的な廃棄物埋設処分場１１は次の様な構造になっている。（特開平８−２０６６２４公報）即ち、
１．地盤を掘削して大きな穴１２を設ける。
２．廃棄物１３及び汚水等が穴１２から直接流出しないようにするため、その穴
１２の内部表面全体に遮水シート１４が敷設されている。
３．遮水シート１４の上部には遮水シート１４の保護および浄化排水を兼ねた砂
１５が５０〜６０ｃｍの厚さに積層されている。
４．穴１２の底部には集まった汚水を外部に排出するための集中排水用パイプ１
６が設置されている。
５．そして廃棄物１３が穴１２の中で３ｍ程堆積すると、その上にさらに浄化排水のための砂１５が５０〜６０ｃｍの厚さの層として設けながら使用されている。
【０００４】
【発明が解決しようとする課題】
しかしながら、工事中の不注意等から下部の遮水シートを損傷し、その結果有害物質による環境の汚染が生じるという問題が起こりやすい。とくに地盤が岩盤の場合は一層遮水シートが損傷しやすい。またこのように重い砂で５０〜６０ｃｍもの層を設けることは、作業性が著しく悪く、コストもかかり、穴の体積を減少させるため埋設処分量も少なくなる。また、図１のように、穴１２の傾斜面に砂１５の層を設けることは非常に困難であり、降雨時に砂が滑り落ち、遮水シート１４が露出し、何らかの原因でこれが破れる恐れもある。さらに、現実問題として砂１５の運搬車によって遮水シート１４が破られることもある。
【０００５】
そして、従来の廃棄物埋設処分場１１は、同じく図１に示すように、穴１２へ廃棄物１３を投入し、その上へ砂１５を積層し、さらに廃棄物１３をその砂１５の上へ埋めるという具合に廃棄物１３と砂１５とを交互に反復して埋設していくものであった。そして最後には砂１５を地面１８と同一面状にまで敷設して廃棄物埋設作業が終了するのである（図示せず）。
【０００６】
しかしながら、図２に示すように廃棄物１３の埋設途中に降雨があると、雨水が砂１５、廃棄物１３を浸透して穴１２の底部へ流れて行く。このとき廃棄物１３によって汚染されて集まった汚水が穴１２の底部に設置されている排水パイプ１６ａからポンプ１７にて汚水処理設備を経由して矢印のように外部へと排出される。さらに川または海へと放水している現状である。
【０００７】
而して、図２のように、廃棄物１３の上に砂１５を被せてあって廃棄物１３が露出していないときには、仮令大雨のため穴１２上部から雨水が外へと横溢して行っても、雨水が廃棄物１３に直接触れていない限り有害物質による自然環境破壊には繋がらない。
【０００８】
ところが、上記のように雨水がポンプによって汚水処理設備を経由していても、廃棄物に触れて穴１２の底部へ浸透して来た雨水の場合や、或は図３のように穴１２上部に廃棄物１３が露出している場合には、仮令排水パイプ１６ｂによって穴１２中上部の汚水をポンプ１７にて汚水処理設備を経由していても、有害物質による汚水の排出が川や海を汚染させる。したがって、自然環境を破壊するということで、住民からの強い反対の声があり、ひいては大きな社会的問題にまで発展して来ている。
【０００９】
そこで、図４に示すように廃棄物埋設処分場１１の穴１２中へ鉄筋コンクリート製等の埋設構造物１９を構築して、該鉄筋コンクリート製等の埋設構造物１９内側へゴム２０を一体に貼着させる。そして、該鉄筋コンクリート製等の埋設構造物１９へ前述のように廃棄物１３と砂１５とを交互に反復して埋設して行くようにした廃棄物埋設処分場１１が知られている。
【００１０】
而して、上記廃棄物埋設処分場１１には図５に示すように、鉄筋コンクリート製の埋設構造物１９の上方の地面には屋根２１を建設して埋設途中に雨水が鉄筋コンクリート製の埋設構造物１９中へ入らないようにしてある。埋設作業が完了したならば、図６のように最後に不透水性の土砂等で覆い２２（１００ｃｍ）をして埋設構造物１９を密閉するのである。
【００１１】
しかるに、この廃棄物埋設処分場１１では地面１８を垂直に掘削して穴１２を設けなければならないばかりでなく、地面１８と埋設構造物１９との間に土２３を入れて埋めなければならない煩瑣な手数と労力を要した。また、最初から大がかりな廃棄物埋設処分場１１を建設しなければならなかったので、処分場建設当初より多大な費用の負担がかかるなどの大きな課題を抱えていた。
【００１２】
【課題を解決するための手段】
本発明は上記課題を解決するためになされたものであって、その要旨とするところは、なだらかな谷間の地盤を掘削して穴を設け、該穴底部へ長方形状の耐久性・不透水性材料からなる埋設構造物を設けて第１廃棄物埋設場を形成し、次の埋設時に同形状同材料の埋設構造物を一体に積立して第２廃棄物埋設場を形成し、さらに次の埋設時に同じく同形状、同材料の埋設構造物を積立して第３廃棄物埋設場を形成して、地形に合わせて低いところから高いところへと埋設ごと順次一体に積立て形成することを特徴とする埋設ごと埋設構造物の積立式廃棄物処分場及び地盤にいびつに掘削された穴の底部に壁及び床を有する連続した三角形状の耐久性・不透水性材料からなる埋設構造物を設けた廃棄物埋設場を埋設ごと順次地形に合わせて低いところから高いところへと一体に積立形成する請求項１に記載の埋設ごと埋設構造物の積立式廃棄物処分場及び地盤にいびつに掘削された穴の底部に壁及び床を有する連続した六角形状の耐久性・不透水性材料からなる埋設構造物を設けた廃棄物埋設場を埋設ごと順次地形に合わせて低いところから高いところへと一体に積立形成する請求項１に記載の埋設ごと埋設構造物の積立式廃棄物処分場及び地盤に掘削された穴の底部に形成された第１廃棄物埋設場へ廃棄物を埋設したのち屋根にて覆い雨水の侵入を防止し、次の廃棄物埋設必要時には屋根を外し、第２廃棄物埋設場を一体に積立形成し、該埋設場へ廃棄物を埋設して屋根にて覆い、さらに次の廃棄物埋設必要時には前記屋根を外し、第３廃棄物埋設場を一体に積立形成し、該埋設場へ廃棄物を埋設してその上へ屋根を覆着したのち土砂にて造成することを特徴とする廃棄物埋設方法に関するものである。
【００１３】
【発明の実施の形態】
本発明の埋設ごと埋設構造物の積立式廃棄物処分場及び廃棄物埋設方法の実施例を別紙図面を参照しながら詳細に説明する。
【００１４】
（実施例１）
図７、図９に於いて、なだらかな山と山との谷間の地盤３を少なくとも５ｍ〜１０ｍ程度掘削して穴２を設ける。そしてこの穴２の底部１中央部に例えばトラック数台にて廃棄物を載せて運搬して来た埋設分量及びその上へ砂を載せて埋設できる分量の面積の鉄筋コンクリート製、鉄骨コンクリート製、金属板、合成樹脂板などの耐久性・不透水性材料からなる埋設構造物５を設けて第１廃棄物埋設場４を形成する。これを施工順序１と称する。第１廃棄物埋設場４は最初の廃棄物６の埋設の機能を果たすものである。そして第１廃棄物埋設場４は図９の矢印のように高さｈ１であり、また形状は図１１、図１２のように長方体形状を成すものである。なお、図７の７は埋設構造物５の内周面部に貼着したゴムである。
【００１５】
上記第１廃棄物埋設場４を形成したなら、予定の所謂トラックにて積載して来た廃棄物６を埋設構造物５中へ埋設し、その上へ砂８を被せる。また、埋設途中に降雨により雨水が廃棄物に触れて汚染されぬよう埋設構造物５上へ着脱自由の屋根ｒを被せる。このようにして第１廃棄物埋設場４にて埋設作業を行うものである。
【００１６】
次の廃棄物を埋設する必要が生じた際には、先ず、第１廃棄物埋設場４の埋設構造物５に被せてある屋根ｒを取外しする。そして、図８にす示すように埋設構造物５上及びその左側へ同じく埋設構造物５ａ，５ａを一体に積立構成して第２廃棄物埋設場９を形成する。これを施工順序２と称し、埋設構造物５ａは図９のように高さｈ２となる。また、埋設構造物５ａの形状は図１１、図１２のように長方体形状と成す。尚、図８中７，７は埋設構造物５ａ，５ａの内周面部に貼着したゴムである。
【００１７】
以上の様にして第１廃棄物埋設場４の埋設構造物５上へ埋設構造物５ａ，５ａを一体に積立構成して第２廃棄物埋設場９が形成されるのであるが、本実施例の場合は、図９に示すようになだらかな地形の穴２となっているところに設けられるため、予め第２廃棄物埋設場９の左側の空間を土にて埋めて平らにされて、第２廃棄物埋設場９が形成されるのである。
【００１８】
次に、予め運搬されて来ている廃棄物６を第２廃棄物埋設場９の埋設構造物５ａ，５ａ中へ砂８と交互に反復して埋設し、図８のように埋設構造物５ａ，５ａ上へ屋根ｒ，ｒを着脱自由に取付して第２廃棄物埋設場９の埋設工程途中でも雨水が入らないようにしておく。
【００１９】
さらに、大量の廃棄物を埋設する必要が生じた際には、図９に示すように第２廃棄物埋設場９の、埋設構造物５ａ，５ａ上へ埋設構造物５ｂ，５ｂを一体に積立構成する。この場合埋設構造物５ｂ，５ｂは図１１に示すように前後に２室の長方形の埋設構造物となる。このようにして第３廃棄物埋設場１０を形成する。而してこれを施工順序３と称し、図９のように埋設構造物５ｂ，５ｂは高さｈ３である。
【００２０】
また、埋設構造物５ｂ、５ｂの内周面部には夫々ゴム７が貼着してある。
【００２１】
上記の様に構成した第３廃棄物埋設場１０の前記各埋設構造物へ予め運搬して来ている廃棄物６を砂８と交互に反復して埋設するのである。そして埋設作業が完了したならば、図１０に示すように各埋設構造物上を不透水性土砂等で覆い３０して地面と接続するように構成する。これにて埋設作業は終了するのである。なお、以上実施例１で述べた埋設構造物の構造に限定されることなく、図１７ａ，ｂのように全て長方体形状にして、然も地形に合わせて一方から他方にかけて傾斜状に構成しても勿論良い。
【００２２】
（実施例２）
以上の実施例１では図８に示すように、地盤３がなだらかに傾斜している状態で、穴２が掘削してある場合の廃棄物埋設処分場を説明した。しかるに、実施例２は図１３に示すように地盤３がいびつな状態に掘削されて穴２が設けられているところへ壁及び床を有する連続した三角形の埋設構造物を埋設ごと一体に積立して構成した廃棄物埋設処分場に言及する。
【００２３】
地盤３にいびつな形状に掘削されている穴２の底部１に図１４ａ，１４ｂに示すように壁及び床を有する連続した三角形状の鉄筋コンクリート製等の耐久性・不透水性材料からなる埋設構造物５ｃを設けて第１廃棄物埋設場２４を図１３ａのように形成する。これを実施例１の発明と同様に施工順序１と称する。また、第１廃棄物埋設場２４の高さは実施例１の発明と同一であり、なお且埋設構造物５ｃの内周面部にはゴム７が貼着されている。
【００２４】
上記第１廃棄物埋設場２４が出来上がったならば、予め積載して来ている廃棄物６を埋設構造物５ｃ中へ埋設する。そして、その上へ砂８を載せたのち雨水が流入しないよう着脱自由の屋根ｒを被せて、満杯になったならば第１廃棄物埋設場２４での廃棄物の埋設作業は終了する。
【００２５】
次の廃棄物を埋設する必要が生じたときには、第１廃棄物埋設場２４の埋設構造物５ｃに被せてある屋根ｒを先ず取外しする。その後、埋設構造物５ｃの真上へ同じく耐久性・不透水性材料からなる埋設構造物５ｄ，５ｄを積立構成して第２廃棄物埋設場２５を形成する。これを施工順序２と称する。
【００２６】
なお、第２廃棄物埋設場２５の埋設構造物５ｄの構造は第１廃棄物埋設場２５の埋設構造物５ｃと同様に壁及び床を有する連続した三角形状の鉄筋コンクリート製等の耐久性・不透水性材料から成るものである。
また、地形により埋設構造物５ｄの高さは第１廃棄物埋設場２４の埋設構造物５ｃの高さとは異なる場合があるが、埋設構造物５ｄ，５ｄの内周面部にゴム７が貼着されていることは同様である。
【００２７】
予め運搬して来ている廃棄物６を上記第２廃棄物埋設場２５の埋設構造物５ｄ，５ｄ中へ埋設して、その上へ砂８をのせ、雨水が流入しないよう着脱自由の屋根ｒを被せる。そして廃棄物６が満杯になったならば第２廃棄物埋設場２５の埋設作業は終了する。
【００２８】
最後に、次の廃棄物を埋設するときには、図１３ｃのように前記第１第２廃棄物埋設場の埋設構造物５ｃ，５ｄと同一の構造、所謂壁及び床を有する三角形を多数組合せた形状の埋設構造物５ｅ，５ｅを埋設構造物５ｄ，５ｄ上へ積立して一体に構成して第３廃棄物埋設場２６が形成される。これを施工順序３と称する。
【００２９】
第３廃棄物埋設場２６の埋設構造物５ｅ，５ｅの高さは第１、第２廃棄物埋設場２４、２５の高さとは異なる場合があるが、埋設構造物５ｅ，５ｅの内周面部には同様にゴム２６が夫々貼着してある。
【００３０】
上記第３廃棄物埋設場２６の各埋設構造物中へ廃棄物６と砂８を交互に反復して埋設し、雨水が流入しないよう着脱自由の屋根ｒを被せる。埋設作業が完了したならば第３廃棄物埋設場２６に、実施例１の図１０に示すように各埋設構造物上へ不透水性土砂等で覆い３０して地面と接続状態にする。これにて地盤がいびつになった穴の廃棄物埋設処分場に於ける埋設作業が完全に終了する。
【００３１】
（実施例３）
図１６ａに示すように地盤３がいびつに掘削された穴２に、図１５ａ，ｂに示すように壁及び床を有する六角形を組合せた形状の鉄筋コンクリート製等の耐久性・不透水性材料からなる埋設構造物５ｆを設ける。これが第１廃棄物埋設場２７であって、施工順序１と称する。埋設構造物５ｆの高さ及び内周面部にゴム７が貼着されていることは実施例１、２の発明と同様である。
【００３２】
而して、予め運搬されて来ている廃棄物６を第１廃棄物埋設場２７の埋設構造物５ｆ中へ埋設する。次いで砂８を入れて雨水が流入しないよう着脱自由の屋根ｒを付けて満杯になったら埋設作業は終了である。
【００３３】
次の、廃棄物を埋設する必要が生じたときには、図１６ｂに示すように埋設構造物５ｆ上へ埋設構造物５ｇを積立て一体に構成して第２廃棄物埋設場２８を形成する。この場合埋設構造物５ｇ、５ｇは埋設構造物５ｆと同じように壁及び床を有する六角形を組合せた形状の鉄筋コンクリート製等の耐久性・不透水性の埋設構造物である。そして、埋設構造物５ｇ，５ｇの内周面部にゴム７が貼着されていることは当然である。
【００３４】
而して、第２廃棄物埋設場２８の埋設構造物５ｇ，５ｇ中へ廃棄物６を埋設して、その上に砂８をのせ、雨水が流入しないよう屋根ｒを被せて廃棄物が満杯になったら第２廃棄物埋設場２８の埋設作業を終了する。
【００３５】
さらに、次の廃棄物を埋設する必要が生じた際には、前記屋根ｒを取外し埋設構造物５ｇ，５ｇの真上へ埋設構造物５ｈ，５ｈを一体に積立構成して第３廃棄物埋設場２９を形成する。而して、該第３廃棄物埋設場２９の埋設構造物５ｈ，５ｈへ廃棄物６と砂８を交互に反復して埋設し、雨水が流入しないよう着脱自由の屋根ｒを被せる。埋設作業が完了したならば第３廃棄物埋設場２９に、実施例１の図１０に示すように各埋設構造物上を不透水性土砂等で覆い３０して地面と接続させて、埋設作業が完全に終了する。
【００３６】
【発明の効果】
本発明の廃棄物処分場は埋設ごと鉄筋コンクリート製等の耐久性不透水性材料からなる埋設構造物を一体に積立構成して第１廃棄物埋設場及び第２廃棄物埋設場並びに第３廃棄物埋設場と形成していくので、廃棄物処分場建設の初期から多大な投資が必要なくなり、甚だ経済的合理的である。
【００３７】
本発明は埋設ごと第１、第２、第３廃棄物埋設場へと廃棄物を埋設していくが、その都度屋根を使用して埋設構造物中へ雨水が入らないように絶えず雨水の侵入を防止している。したがって雨水の流入が少なく、ひいては汚水処理費が頗る軽減できる。
【００３８】
また、本発明はなだらかな傾斜面に限らず、いびつな傾斜面を有する穴の地形に合わせて、埋設に応じて低いところから高いところへと順次埋設処理場を形成するので埋設作業が便利且初期投資が抑制できる。
【００３９】
本発明は壁及び床を有する連続した三角形、四角形、六角形を組合せて形成した鉄筋コンクリート製等の耐久性・不透水性材料からなる埋設構造物である。したがって、構造的に頗る強度に優れ、かつ腐食することもなく、然も不透水性のため汚水の流出がなくなる。よって、自然環境破壊の虞が無く非常に優秀且有益な廃棄物処分場である。
【００４０】
また、本発明の廃棄物埋設方法によれば、間欠的に効率良く埋設できるので、甚だ経済的且合理的な発明であって、斯界に寄与するところ洵に大である。
【図面の簡単な説明】
【図１】従来の廃棄物埋設状態を示す縦断面図である。
【図２】図１の状態から汚水をホースとポンプにて川・海へ排出している状態を示す縦断面図である。
【図３】穴の上部に露出している廃棄物に雨水が触れた汚水を排出している状態を示す縦断面図である。
【図４】別の従来の廃棄物埋設状態を示す縦断面図である。
【図５】図４の状態から雨水が入らないように屋根を設けた状態を示す縦断面図である。
【図６】図５から埋設作業が終了した廃棄物埋設場の縦断面図である。
【図７】実施例１の発明の第１廃棄物埋設場の埋設構造物の縦断説明図である。
【図８】図７の状態より第２廃棄物埋設場の埋設構造物を一体に積立した状態を示す縦断説明図である。
【図９】図８の状態より第３廃棄物埋設場の埋設構造物を一体に積立した状態を示す縦断説明図である。
【図１０】図９の状態より廃棄物埋設場に土を覆って造成して埋設作業が完了した状態を示す縦断説明図である。
【図１１】実施例１発明の屋根付埋設構造物の全体を表す参考説明図である。
【図１２】（ａ）実施例１の発明の埋設構造物全体の平面図である。
（ｂ）実施例１の発明の埋設構造物全体の斜視図である。
【図１３】（ａ）実施例２の発明の第１廃棄物埋設場に於ける埋設状態を示す縦断参考説明図である。
（ｂ）実施例２発明の第２廃棄物埋設場に於ける埋設状態を示す縦断参考説明図である。
（ｃ）実施例２発明の第３廃棄物埋設場に於ける埋設状態を示す縦断参考説明図である。
【図１４】（ａ）実施例２の発明の埋設構造物の全体の平面図である。
（ｂ）実施例２発明の埋設構造物の全体の斜視図である。
【図１５】（ａ）実施例３発明の埋設構造物全体の平面図である。
（ｂ）実施例３発明の埋設構造物全体の斜視図である。
【図１６】（ａ）実施例３発明の第１廃棄物埋設場の縦断参考説明図である。
（ｂ）実施例３発明の第２廃棄物埋設場の縦断参考説明図である。
（ｃ）実施例３発明の第３廃棄物埋設場の縦断参考説明図である。
【図１７】（ａ）実施例１発明の埋設構造物の別の埋設構造物を示す全体の参考平面図である。
（ｂ）実施例１発明の埋設構造物の別の埋設構造物を示す全体の参考斜視図である。
【符号の説明】
１  底部
２  穴
３  地盤
４  第１廃棄物埋設場
５  埋設構造物
５ａ埋設構造物
５ｂ埋設構造物
５ｃ埋設構造物
５ｄ埋設構造物
５ｅ埋設構造物
５ｆ埋設構造物
５ｇ埋設構造物
５ｈ埋設構造物
６  廃棄物
７  ゴム
８  砂
９  第２廃棄物埋設場
１０  第３廃棄物埋設場
１１  廃棄物埋設処分場
１２  穴
１３  廃棄物
１４  遮水シート
１５  砂
１６ａ排水用パイプ
１６ｂ排水用パイプ
１７  ポンプ
１８  地面
１９  埋設構造物
２０  ゴム
２１  屋根
２２  コンクリート
２３  土
２４  第１廃棄物埋設場
２５  第２廃棄物埋設場
２６  第３廃棄物埋設場
２７  第１廃棄物埋設場
２８  第２廃棄物埋設場
２９  第３廃棄物埋設場
３０  不透水性土砂等で覆い
ｈ１高さ
ｈ２高さ
ｈ３高さ
ｒ  屋根
【図１】
2004322036.tif 000002
【図２】
2004322036.tif 000003
【図３】
2004322036.tif 000004
【図４】
2004322036.tif 000005
【図５】
2004322036.tif 000006
【図６】
2004322036.tif 000007
【図７】
2004322036.tif 000008
【図８】
2004322036.tif 000009
【図９】
2004322036.tif 000010
【図１０】
2004322036.tif 000011
【図１１】
2004322036.tif 000012
【図１２】
2004322036.tif 000013
【図１３】
2004322036.tif 000014
【図１４】
2004322036.tif 000015
【図１５】
2004322036.tif 000016
【図１６】
2004322036.tif 000017
【図１７】
2004322036.tif 000018